(57)【要約】【課題】複数画面のバックライトを個別に自動調整する際に、各画面を所望の輝度で表示させる映像表示装置を提供すること。【解決手段】この映像表示装置は、複数の入力映像を合成した合成映像を表示する映像表示装置であって、前記複数の入力映像のそれぞれに対応して設けられた複数のバックライト部と、各前記入力映像の特徴量を検出する特徴検出部と、検出された前記特徴量に基づいて、各入力映像信号の増幅及びＤＣレベルのレベルシフトを行う映像信号処理部と、増幅及びレベルシフトが行われた各前記映像入力信号を合成して合成映像信号を生成する合成部と、前記複数のバックライト部の輝度の違いに応じて前記合成映像信号のゲイン値を補正する輝度補正部と、前記ゲイン値が補正された前記合成映像信号を表示する画面と、を備える構成を採る。【選択図】図１
2014191034.tif 000002
【特許請求の範囲】
【請求項１】
複数の入力映像を合成した合成映像を表示する映像表示装置であって、
前記複数の入力映像のそれぞれに対応して設けられた複数のバックライト部と、
各前記入力映像の特徴量を検出する特徴検出部と、
検出された前記特徴量に基づいて、各入力映像信号の増幅及びＤＣレベルのレベルシフトを行う映像信号処理部と、
増幅及びレベルシフトが行われた各前記映像入力信号を合成して合成映像信号を生成する合成部と、
前記複数のバックライト部の輝度の違いに応じて前記合成映像信号のゲイン値を補正する輝度補正部と、
前記ゲイン値が補正された前記合成映像信号を表示する画面と、
を備える映像表示装置。
【請求項２】
前記輝度補正部は、前記複数のバックライト部の輝度差に応じて前記ゲイン値を補正する、請求項１に記載の映像表示装置。
【請求項３】
前記輝度補正部は、前記複数のバックライト部の輝度比に応じて前記ゲイン値を補正する、請求項１に記載の映像表示装置。
【請求項４】
前記輝度補正部は、前記画面の水平方向および垂直方向の少なくとも一方のピクセル位置に応じて前記ゲイン値を変動させる、請求項２または請求項３に記載の映像表示装置。
【請求項５】
前記輝度補正部は、前記画面の水平方向および垂直方向の少なくとも一方のピクセル位置に応じて、前記入力映像信号をダイナミックレンジ内に収めるＤＣレベルシフト量を与えるオフセット値を変動させる、請求項２または請求項３に記載の映像表示装置。
【請求項６】
前記輝度補正部は、前記画面の水平方向および垂直方向の少なくとも一方のピクセル位置に応じて、前記ゲイン値、および前記入力映像信号をダイナミックレンジ内に収めるＤＣレベルシフト量を与えるオフセット値の少なくとも一方を変動させる、請求項１に記載の映像表示装置。
【請求項７】
前記輝度補正部は、水平方向または垂直方向のピクセル位置に対する補正用のゲイン値の関数が一次関数で与えられる補正カーブに基づいて、前記ゲイン値を補正することを特徴とする、請求項６に記載の映像表示装置。
【請求項８】
前記輝度補正部は、水平方向または垂直方向のピクセル位置に対する補正用のゲイン値の関数が複数の線分が接続された折れ線の関数で与えられる補正カーブに基づいて、前記ゲイン値を補正することを特徴とする、請求項６に記載の映像表示装置。
【請求項９】
水平方向または垂直方向のピクセル位置に対する補正用のゲイン値が前記補正カーブとしてあらかじめ格納された記憶部をさらに備え、
前記輝度補正部は、前記記憶部に格納されたゲイン値をピクセル位置ごとに読み出して前記ゲイン値を与えることを特徴とする、請求項７または請求項８に記載の映像表示装置。
【発明の詳細な説明】
【技術分野】
【０００１】
本発明は、複数の映像を、例えば、隣り合わせて合成した合成映像を表示する映像表示装置に関する。
【背景技術】
【０００２】
従来、複数の映像を、例えば、隣り合わせて合成した合成映像を表示する映像表示装置の典型例としての液晶ディスプレイでは、ユーザーのマニュアル操作でコントラスト等を調整するのが一般的であった。近年、複数の画面の表示映像のコントラストを画面ごとに個別に自動調整し、複数の画面の分割領域での画質の品位を向上する手法が提案されている。
【０００３】
例えば、特許文献１に開示された映像表示装置では、複数の画面の分割領域での画像信号の階調変換処理を行っている（例えば、特許文献１参照）。
【先行技術文献】
【特許文献】
【０００４】
【特許文献１】特開２０１１−２５０３９４号公報
【発明の概要】
【発明が解決しようとする課題】
【０００５】
上記映像表示装置では、複数の画面において液晶ディスプレイのバックライトを個別に調整する際の手法については言及されていない。バックライトを複数の画面ごとに個別に調整する際、バックライトの導光板を通じて複数画面の境界を越えて光漏れが発生するため、特に複数画面の境界領域において所望の輝度を得ることができないという問題がある。
【０００６】
本発明の目的は、複数画面のバックライトを個別に自動調整する際に、各画面を所望の輝度で表示させる映像表示装置を提供することである。
【課題を解決するための手段】
【０００７】
本発明の一態様に係る映像表示装置は、複数の入力映像を合成した合成映像を表示する映像表示装置であって、前記複数の入力映像のそれぞれに対応して設けられた複数のバックライト部と、各前記入力映像の特徴量を検出する特徴検出部と、検出された前記特徴量に基づいて、各入力映像信号の増幅及びＤＣレベルのレベルシフトを行う映像信号処理部と、増幅及びレベルシフトが行われた各前記映像入力信号を合成して合成映像信号を生成する合成部と、前記複数のバックライト部の輝度の違いに応じて前記合成映像信号のゲイン値を補正する輝度補正部と、前記ゲイン値が補正された前記合成映像信号を表示する画面と、を備える構成を採る。
【発明の効果】
【０００８】
本発明によれば、複数画面の境界領域におけるバックライトの光漏れを軽減し、複数画面の各画面に個別に画質調整を実施する際の表示品位を向上するという効果を奏する。
【図面の簡単な説明】
【０００９】
【図１】本発明の一実施の形態に係る映像表示装置の全体構成及びその周辺構成を示すブロック図
【図２】図１に示す画面の表示領域を示す模式図
【図３】図１に示すＣＰＵの２画面モード時の処理を示すフローチャート
【図４】２画面モード時の画面の表示領域を示す模式図
【図５】図４に示す２画面モード時に設定される検出領域を示す模式図
【図６】（ａ）入力映像信号の最大振幅を示す図、（ｂ）入力映像信号のゲインを示す図、（ｃ）入力映像信号のオフセットを示す図
【図７】図４に示す２画面モード時の処理内容を示す第１の模式図
【図８】図４に示す２画面モード時の処理内容を示す第２の模式図
【図９】図４に示す２画面モード時の処理内容を示す第３の模式図
【発明を実施するための形態】
【００１０】
以下、本発明の実施の形態について、図面を参照して詳細に説明する。
（一実施の形態）
【００１１】
以下、本発明の実施の形態における映像表示装置１の構成と動作について図面を参照しながら説明する。図１は、本発明の一実施の形態に係る映像表示装置１の全体構成及びその周辺構成を示すブロック図である。
【００１２】
図１において、映像源２は複数の映像出力機器からなる。図１では、映像源２の例として、ＤＶＤプレイヤー２Ａおよびテレビチューナー２Ｂを示している。
【００１３】
ＤＶＤプレイヤー２Ａは、ＤＶＤ（Ｄｉｇｉｔａｌ  Ｖｅｒｓａｔｉｌｅ  Ｄｉｓｃ）から読み出され再生された映像Ａを映像表示装置１に出力する。テレビチューナー２Ｂは、例えば、地上デジタル放送等を受信して再生した番組を構成する映像Ｂを映像表示装置１に出力する。
【００１４】
次に、映像表示装置１について説明する。映像表示装置１は、少なくとも、映像処理ＬＳＩ１１と、ＣＰＵ１２と、ディスプレイ１３とを備えている。
【００１５】
映像処理ＬＳＩ１１は、機能ブロックに分けると、図１に示すように、少なくとも、特徴検出部１１１と、映像信号処理部１１２と、合成部１１３と、輝度補正部１１４とを含む。ＣＰＵ１２は、機能ブロックに分けると、少なくとも、制御データ生成部１２１と、バックライト制御部１２２とを含む。また、ディスプレイ１３は、少なくとも、画面１３１と、画面１３１の表示部左半分の後方もしくは側面で点灯する左バックライトユニット１３２Ａと、画面１３１の表示部右半分の後方もしくは側面で点灯する右バックライトユニット１３２Ｂとを含む。
【００１６】
本実施の形態では、ディスプレイ１３は、例えば、１６：９を超える表示アスペクト比の表示領域を有する液晶パネルを含んでおり、例えば、車両の後席の同乗者が映像を観賞可能に車両の天井に設置される。このように天井に設置される場合、運転者の後方視界を確保しつつ、大きくワイドな映像を観視者が楽しめるように、ディスプレイ１３は横方向に長いことが好ましい。本実施の形態では、図２に示すように、ディスプレイ１３は、例えば、横方向に１６００ドットで縦方向に４８０ドットの表示領域、つまり１０：３の表示アスペクト比を有する。また、左バックライトユニット１３２Ａは、表示領域の左半分にあたる横方向８００ドットで縦方向４８０ドットの表示領域の点灯用に備えられ、右バックライトユニット１３２Ｂは、表示領域の右半分にあたる横方向８００ドットで縦方向４８０ドットの表示領域の点灯用に備えられる。
【００１７】
以上のように構成された映像表示装置１について、以下にその処理動作を説明する。
【００１８】
本映像表示装置１には、ディスプレイ１３に１つの映像を表示する１画面モードと、２つの映像を合成した合成映像をディスプレイ１３に表示する２画面モードがある。このような２画面モードをサポートするために、図１に示すように、特徴検出部１１１は、機能ブロックに分けると、一方の画面用に特徴検出部１１１Ａを、他方の画面用に特徴検出部１１１Ｂを含む。同様に、映像信号処理部１１２は、映像信号処理部１１２Ａ及び１１２Ｂを含む。
【００１９】
本発明は、２画面モード時においてその効果を発揮する。従って、２画面モード時における映像表示装置１の動作について説明する。なお、ＣＰＵ１２の動作の説明については、図３に示すフローチャートを参照する。２画面モードにおいては、図４に示すように、ＤＶＤプレイヤー２Ａから出力される映像信号が表す映像Ａが画面１３１における横方向８００ドット、縦方向４８０ドットの左画面に、テレビチューナー２Ｂから出力される映像信号が表す映像Ｂが横方向８００ドット、縦方向４８０ドットの右画面に表示されるとして説明を行う。
【００２０】
まず、映像源２のＤＶＤプレイヤー２Ａ及びテレビチューナー２Ｂから出力される映像信号が、入力映像信号として特徴検出部１１１及び映像信号処理部１１２にそれぞれ入力される。
【００２１】
特徴検出部１１１Ａ及び１１１Ｂは、図５に示すように、ＤＶＤプレイヤー２Ａ及びテレビチューナー２Ｂからの入力映像信号に対して検出領域Ｒ１及びＲ２を設定する。本実施の形態においては、横方向８００ドット、縦方向４８０ドットの左画面、右画面のそれぞれに対して、横方向に７００ドット、縦方向に４００ドットの領域が検出領域Ｒ１及びＲ２として設定される。
【００２２】
ここで、検出領域Ｒ１及びＲ２は、レターボックス又はピラーボックスを避けるような領域に予め定められることが好ましい。典型的には、レターボックス及びピラーボックスは、左画面、右画面のそれぞれのアスペクト比とそこに表示される映像のアスペクト比とが相違する場合に生じる。したがって、例えば、特徴検出部１１１Ａ及び１１１Ｂは、アスペクト比を示す情報を取得し、取得した情報に基づきレターボックス及びピラーボックスの領域を除外して検出領域Ｒ１及びＲ２を設定することができる。或いは、画面１３１に表示された映像からレターボックス及びピラーボックスが自動検出される機能が映像表示装置１に備えられている場合には、特徴検出部１１１Ａ及び１１１Ｂは、その検出結果を取得し、取得した検出結果に基づきレターボックス及びピラーボックスの領域を除外して検出領域Ｒ１及びＲ２を設定することができる。
【００２３】
特徴検出部１１１Ａは、ＤＶＤプレイヤー２Ａからの映像について検出領域Ｒ１内の入力映像信号の振幅最大値（ＭＡＸ）、入力映像信号の振幅最小値（ＭＩＮ）及び平均輝度（ＡＰＬ：Ａｖｅｒａｇｅ  Ｐｉｃｔｕｒｅ  Ｌｅｖｅｌ）を検出し（以降、それぞれＭＡＸ１、ＭＩＮ１及びＡＰＬ１と記す）、制御データ生成部１２１に出力する。また、特徴検出部１１１Ｂは、テレビチューナー２Ｂからの映像について検出領域Ｒ２内のＭＡＸ、ＭＩＮ及びＡＰＬを検出し（以降、それぞれＭＡＸ２、ＭＩＮ２及びＡＰＬ２と記す）、制御データ生成部１２１に出力する。このように、特徴検出部１１１は、各検出領域におけるＭＡＸ、ＭＩＮ、ＡＰＬなどを特徴量として検出する。なお、特徴検出部１１１は、これら以外にも累積輝度値などを特徴量として検出してもよい。
【００２４】
制御データ生成部１２１は、特徴検出部１１１Ａが検出したＭＡＸ１、ＭＩＮ１及びＡＰＬ１を入力とし（図３；ステップＳ３０１）、ゲイン及びオフセット（以降、それぞれゲイン１、オフセット１と記す）を算出する（図３；ステップＳ３０２）。求められたゲイン１は、映像信号処理部１１２Ａに出力され、オフセット１は、映像信号処理部１１２Ａとバックライト制御部１２２に出力される（図３；ステップＳ３０３）。同様に、特徴検出部１１１Ｂが検出したＭＡＸ２、ＭＩＮ２及びＡＰＬ２を入力とし（図３；ステップＳ３０４）、ゲイン及びオフセット（以降、それぞれゲイン２、オフセット２と記す）を算出する（図３；ステップＳ３０５）。求められたゲイン２は、映像信号処理部１１２Ｂに出力され、オフセット２は、映像信号処理部１１２Ｂとバックライト制御部１２２に出力される（図３；ステップＳ３０６）。なお、図３のステップＳ３０１〜ステップＳ３０３と、ステップＳ３０４〜ステップＳ３０６の処理を並行して処理してもよい。
【００２５】
ゲイン及びオフセットは、次の方法で算出する。制御データ生成部１２１が、入力映像信号の最大振幅（ＭＡＸとＭＩＮとの差）を、処理回路の信号処理可能範囲、すなわちダイナミックレンジ幅に増幅するためのゲインを下記式（１）および（２）に従って求める。
ゲイン１＝ダイナミックレンジ／（ＭＡＸ１−ＭＩＮ１）…（１）
ゲイン２＝ダイナミックレンジ／（ＭＡＸ２−ＭＩＮ２）…（２）
【００２６】
また、制御データ生成部１２１は、増幅映像信号がダイナミックレンジ内に収まるＤＣレベルシフト量を与えるオフセット１およびオフセット２を求める。
【００２７】
例えば、図６（ａ）に示すように、入力映像信号の最大振幅がダイナミックレンジ幅に対して６７％である場合、制御データ生成部１２１が求めるゲイン１（またはゲイン２）は、図６（ｂ）に示すように約１．５倍となる。この求められたゲイン１（またはゲイン２）は、映像信号処理部１１２における、例えば、映像信号処理部１１２Ａ（または１１２Ｂ）に出力される。
【００２８】
次に、制御データ生成部１２１は、映像信号処理部１１２Ａ（または１１２Ｂ）において増幅された入力映像信号（以下、増幅映像信号という）が、ダイナミックレンジ内に収まるＤＣレベルシフト量を与えるオフセット１（またはオフセット２）を求める。
【００２９】
これは、映像信号処理部１１２Ａ（または１１２Ｂ）がＡＰＬ１（またはＡＰＬ２）を基準（ＡＰＬのＤＣレベル固定）として増幅を行うことに対応するものであり、増幅映像信号の振幅がダイナミックレンジ内に収まるように、増幅映像信号のＤＣレベルを変化させるためである。
【００３０】
例えば、図６に示すように、増幅映像信号の振幅がダイナミックレンジ下限から０．５Ｖ越えるときには、制御データ生成部１２１が求めるオフセットは、図６（ｃ）に示すように０．５Ｖとなる。この求められたオフセットは、映像信号処理部１１２Ａ（または１１２Ｂ）及びバックライト制御部１２２に出力される。
【００３１】
なお、ゲインやオフセットが緩やかに変化するような特性を有するローパスフィルタをかけるようにしてもかまわない。
【００３２】
映像信号処理部１１２Ａは、制御データ生成部１２１から受け取ったゲイン１、オフセット１に基づき、ＤＶＤプレイヤー２Ａからの入力映像信号の増幅と、ＤＣレベルのレベルシフトを行い、合成部１１３に出力する。
【００３３】
また、映像信号処理部１１２Ｂもまた、同様のゲイン２及びオフセット２に基づき、テレビチューナー２Ｂからの入力映像信号の増幅と、ＤＣレベルのレベルシフトを行い、合成部１１３に出力する。
【００３４】
合成部１１３は、映像信号処理部１１２Ａ及び１１２Ｂからの出力映像信号を合成して、例えば、ＤＶＤプレイヤー２Ａからの映像とテレビチューナー２Ｂからの映像が隣り合わせに並ぶ合成映像を表す合成映像信号を生成する。この合成映像信号は、輝度補正部１１４に出力される。
【００３５】
輝度補正部１１４は、左バックライトユニット１３２Ａと右バックライトユニット１３２Ｂの輝度に差がある場合に、その輝度差または輝度比に応じて、画素位置ごとの映像信号のゲイン値（以降、映像信号ゲインと記す）を補正する。
【００３６】
なお、各バックライトに輝度差が生じているか否かは、バックライト制御部１２２が左バックライトユニット１３２Ａと右バックライトユニット１３２Ｂの輝度を調整する際に与える制御値、または、左右に表示するそれぞれの映像のＡＰＬの差があらかじめ設定された閾値よりも大きいか小さいかによって判断することができる。
【００３７】
本実施の形態では、ゲイン値の補正に際して、２画面表示において一方の画面が明るく他方の画面が暗い場合に、明るい方の画面における２画面の境界付近のゲイン値が大きめに設定され、なおかつ、暗い方の画面における２画面の境界付近のゲイン値が小さめに設定される。
【００３８】
以下に、より具体的なゲイン設定の例を図７〜図９を用いて説明する。図７〜図９に示す例では、２画面モード時の状態を示しており、左画面（紙面に向かって左側の画面）が暗く、右画面（紙面に向かって右側の画面）が明るい場合を想定している。
【００３９】
また、図７〜図９においては、２画面（左画面および右画面）の境界を境界線Ｄとし、左画面における境界線Ｄの対辺をＳＡとし、右画面における境界線Ｄの対辺をＳＢとして、それぞれ示している。ただし、これらの各線は説明の便宜上用いられる仮想的な線である。
【００４０】
図７に示す例では、暗い方の画面（左画面）において対辺ＳＡ側にてゲイン値が最大値を採り、対辺ＳＡから境界線Ｄへ向かって直線的にゲイン値が小さくなるように設定される。さらに、明るい方の画面（右画面）においては、境界線Ｄ側にてゲイン値が最大値を採り、境界線Ｄから対辺ＳＢへ向かって直線的にゲイン値が小さくなるように設定される。
【００４１】
左右画面の表示輝度差に基づいて映像信号ゲインを補正する場合、図７に示す傾きｇは、左画面の表示輝度をＹｄｉｓｐＬ、右画面の表示輝度をＹｄｉｓｐＲ、ａを定数とすると、下記の式（３）で与えられる。
ｇ＝ａ×（ＹｄｉｓｐＬ−ＹｄｉｓｐＲ）…（３）
【００４２】
また、表示輝度比に基づいて映像信号ゲインを補正する場合は、図７に示す傾きｇは、ｂを定数とすると、下記の式（４）で与えられる。
ｇ＝ｂ×（ＹｄｉｓｐＬ／ＹｄｉｓｐＲ）…（４）
【００４３】
ここで、ＹｄｉｓｐＬおよびＹｄｉｓｐＲは、画面表示輝度値でもよく、バックライト制御部１２２が左バックライトユニット１３２Ａと右バックライトユニット１３２Ｂの輝度を調整する際に与える制御値でもよい。ＹｄｉｓｐＬおよびＹｄｉｓｐＲを画面表示輝度値とする場合は、バックライト制御部１２２の制御値に応じた画面表示輝度をあらかじめ測定しておいたデータを用いる。
【００４４】
映像の水平画素位置をｘとし、図７に示す左右各画面用の切片をそれぞれＯＬ、ＯＲとすると、左画面用ゲイン値ＧＬ（ｘ）、右画面用ゲイン値ＧＲ（ｘ）は、下記の式（５）および（６）で与えられる。なお、左画面用ゲイン値ＧＬ（ｘ）、右画面用ゲイン値ＧＲ（ｘ）は、共に、映像信号ゲインである。
ＧＬ（ｘ）＝ｇ×ｘ＋ＯＬ…（５）
ＧＲ（ｘ）＝ｇ×ｘ＋ＯＲ…（６）
【００４５】
左右画面それぞれの映像信号輝度値をＹｉｎＬ、ＹｉｎＲとすると、出力の映像信号輝度値ＹｏｕｔＬ、ＹｏｕｔＲは下記の式（７）および（８）で与えられる。
ＹｏｕｔＬ＝ＧＬ（ｘ）×ＹｉｎＬ…（７）
ＹｏｕｔＲ＝ＧＲ（ｘ）×ＹｉｎＲ…（８）
【００４６】
この処理により、複数画面の境界付近における輝度ムラを軽減することができる。
【００４７】
なお、式（５）および（６）で求めたＧＬ（ｘ）、ＧＲ（ｘ）に対し、出力の映像信号輝度値ＹｏｕｔＬ、ＹｏｕｔＲを下記の式（９）および（１０）で与えても良い。
ＹｏｕｔＬ＝ＹｉｎＬ＋ＧＬ（ｘ）…（９）
ＹｏｕｔＲ＝ＹｉｎＲ＋ＧＲ（ｘ）…（１０）
【００４８】
また、式（７）〜（１０）で示した式に定数を組み合わせた線形演算をすることで、出力の映像信号輝度値ＹｏｕｔＬ、ＹｏｕｔＲを求める方法を取ってもよい。
【００４９】
なお、図８に示すように、水平画素位置に対するゲインの与え方を４直線の折れ線で与える形にしても良い。表示領域を水平方向に４等分して、それぞれの領域の名称をＬ１、Ｌ２、Ｒ２、Ｒ１とする。左右画面の表示輝度差に基づいて映像信号ゲインを補正する場合、図８に示す傾きｇ１およびｇ２は、ａ１およびａ２を定数とすると、下記の式（１１）および（１２）で与えられる。
ｇ１＝ａ１×（ＹｄｉｓｐＬ−ＹｄｉｓｐＲ）…（１１）
ｇ２＝ａ２×（ＹｄｉｓｐＬ−ＹｄｉｓｐＲ）…（１２）
【００５０】
図８に示す４領域用の切片をそれぞれ、ＯＬ１、ＯＬ２、ＯＲ１、ＯＲ２とすると、Ｌ１領域用ゲイン値ＧＬ１（ｘ）、Ｌ２領域用ゲイン値ＧＬ２（ｘ）、Ｒ１領域用ゲイン値ＧＲ１（ｘ）、Ｒ２領域用ゲイン値ＧＲ２（ｘ）は下記の式（１３）〜（１６）で与えられる。
ＧＬ１（ｘ）＝ｇ１×ｘ＋ＯＬ１…（１３）
ＧＬ２（ｘ）＝ｇ２×ｘ＋ＯＬ２…（１４）
ＧＲ１（ｘ）＝ｇ１×ｘ＋ＯＲ１…（１５）
ＧＲ２（ｘ）＝ｇ２×ｘ＋ＯＲ２…（１６）
【００５１】
４領域の映像信号輝度値をＹｉｎＬ１、ＹｉｎＬ２、ＹｉｎＲ１、ＹｉｎＲ２とすると、出力の映像信号輝度値ＹｏｕｔＬ１、ＹｏｕｔＬ２、ＹｏｕｔＲ１、ＹｏｕｔＲ２は下記の式（１７）〜（２０）で与えられる。
ＹｏｕｔＬ１＝ＧＬ１（ｘ）×ＹｉｎＬ１…（１７）
ＹｏｕｔＬ２＝ＧＬ２（ｘ）×ＹｉｎＬ２…（１８）
ＹｏｕｔＲ１＝ＧＲ１（ｘ）×ＹｉｎＲ１…（１９）
ＹｏｕｔＲ２＝ＧＲ２（ｘ）×ＹｉｎＲ２…（２０）
【００５２】
なお、領域数は４領域に限らず、８領域または１６領域などでも良い。領域数が多い場合においても、前述と同様の要領で出力映像信号輝度値を算出すれば良い。また、式（９）、（１０）で示したのと同様の要領で乗算式の代わりに加算式で出力映像信号輝度値を算出しても良いし、乗算と加算の組み合わせで算出しても良い。
【００５３】
なお、前記式（５）または（６）で示す演算の代わりに、水平画素位置ｘに対応するゲイン値ＧＬ（ｘ）、ＧＲ（ｘ）を、あらかじめ映像処理ＬＳＩ内部もしくは外部のＲＯＭ（記憶部に相当）に格納しておき、図９に示すように非線形にゲインを与える構成にして実現しても良い。
【００５４】
なお、これまで水平画素位置に対するゲインを変更する内容について記載したが、垂直画素位置に対するゲインを変更しても良いし、水平垂直両方向の画素位置に応じてゲインを変更しても良い。これらの水平画素位置及び垂直画素位置は、ピクセル位置と総称することができる。
【００５５】
輝度補正部１１４によって補正された映像信号は、ディスプレイ１３に出力され、画面１３１に表示される。
【００５６】
以上のように、本実施の形態によれば、画素の水平方向（すなわち複数の画面が並ぶ方向であり、バックライトの配列方向）の位置に応じて、なおかつ複数の画面の境界線の位置に基づいて映像信号ゲインを補正することにより、バックライトの光漏れの影響を軽減して複数の画面の表示品位を向上することができる。より具体的には、２画面時の左右画面境界におけるバックライトの光漏れを軽減することができる。これにより、２画面時の各画面に個別に画質調整を実施する際の左右両画面の表示品位を向上させることができる。
【産業上の利用可能性】
【００５７】
本発明に係る映像表示装置は、合成映像を構成するそれぞれの映像のコントラストを向上させることが要求される車載用ナビゲーション装置又は車載テレビジョン受像機等に好適である。
【符号の説明】
【００５８】
１  映像表示装置
１１  映像処理ＬＳＩ
１１１，１１１Ａ，１１１Ｂ  特徴検出部
１１２，１１２Ａ，１１２Ｂ  映像信号処理部
１１３  合成部
１１４  輝度補正部
１２  ＣＰＵ
１２１  制御データ生成部
１２２  バックライト制御部
１３  ディスプレイ
１３１  画面
１３２Ａ  左バックライトユニット
１３２Ｂ  右バックライトユニット
２  映像源
２Ａ  ＤＶＤプレイヤー
２Ｂ  テレビチューナー
【図１】
2014191034.tif 000003
【図２】
2014191034.tif 000004
【図３】
2014191034.tif 000005
【図４】
2014191034.tif 000006
【図５】
2014191034.tif 000007
【図６】
2014191034.tif 000008
【図７】
2014191034.tif 000009
【図８】
2014191034.tif 000010
【図９】
2014191034.tif 000011